(57)【要約】【課題】小口の電力利用者に対して、自然エネルギーを用いて発電された電力を販売することができる自然エネルギー販売システム及びその方法を提供する。【解決手段】まず、商品、グリーン電力証書（以下、証書という）及び商品と証書との対応関係がサーバ２に予め登録される。また、ユーザ情報が端末装置３を用いて入力されると、サーバ２に対して送信されて登録される。次に、ユーザが商品を注文すると、サーバ２は注文情報を受け付けて、この商品がユーザに対して発送される。ここで、この商品には電力請書が伏せられている。さらに、この商品に割り当てられている電力量が自然エネルギーを用いて発電され、ユーザに対して供給される。サーバ２は、この発電実績の認証を受け付けると、ユーザに対して証書を送信する。【選択図】図１７
2007164397.tif 000002
【特許請求の範囲】
【請求項１】
自然エネルギーを用いて発電される電力量を設定された証書を記憶する証書記憶手段と、
商品を記憶する商品記憶手段と、
前記商品記憶手段により記憶されている商品と、前記証書記憶手段により記憶されている証書との対応関係を記憶する関係記憶手段と、
前記商品記憶手段により記憶されている商品の注文をユーザから受け付けた場合、当該商品に関係づけられている証書を当該ユーザに対して送信する証書管理手段と
を有する自然エネルギー販売システム。
【請求項２】
前記関係記憶手段は、前記商品記憶手段により記憶されている商品に対して割り当てられた少なくとも１つの証書を記憶する
請求項１に記載の自然エネルギー販売システム。
【請求項３】
ユーザを記憶するユーザ記憶手段と、
前記ユーザ記憶手段により記憶されているユーザにより注文された少なくとも１つの商品を記憶する注文記憶手段と
をさらに有する請求項１又は２に記載の自然エネルギー販売システム。
【請求項４】
自然エネルギーを用いて発電される電力量を設定された証書を記憶し、
商品を記憶し、
前記記憶されている商品と、前記記憶されている証書との対応関係を記憶し、
前記記憶されている商品の注文をユーザから受け付けた場合、当該商品に関係づけられている証書を当該ユーザに対して送信する
自然エネルギー販売方法。
【請求項５】
コンピュータを含む自然エネルギー販売システムにおいて、
自然エネルギーを用いて発電される電力量を設定された証書を記憶する証書記憶ステップと、
商品を記憶する商品記憶ステップと、
前記記憶されている商品と、前記記憶されている証書との対応関係を記憶する関係記憶ステップと、
前記記憶されている商品の注文をユーザから受け付けた場合、当該商品に関係づけられている証書を当該ユーザに対して送信する証書管理ステップと
を前記自然エネルギー販売システムのコンピュータに実行させるプログラム。
【発明の詳細な説明】
【技術分野】
【０００１】
本発明は、風力、バイオマス等の自然エネルギーを用いて発電された電力を販売する自然エネルギー販売システム及び自然エネルギー販売方法に関する。
【背景技術】
【０００２】
各国の二酸化炭素（以降、ＣＯ２という）削減が、京都議定書の発行により義務づけられている。日本においては、消費されるエネルギーの８１％が、石油、石炭、天然ガス等の埋蔵資源である。これらの埋蔵資源に替わる資源として、風力、太陽光、水力、バイオマス等の自然エネルギーが注目されている。
一般に、再生可能エネルギーが用いられた場合、発電コストは、石油、石炭等が用いられた場合よりも高い。しかし、発電事業者が、再生可能エネルギーにより発電を行って電力会社に電力を売った場合、石炭火力発電所なみの単価で買い取られることが多い。このため、発電事業者は、その差額を自己負担しなくてはならない。
なお、再生可能エネルギーには、水力、風力、太陽光及びバイオマスが含まれ、自然エネルギーには、これらに加えてさらに地熱が含まれる。
【０００３】
非特許文献１においては、再生可能エネルギーの発電コストと、石炭の発電コストとの差額を、環境価値として取引するグリーン電力証書システムが開示されている。ユーザは、通常の電気代に加えて、グリーン電力証書を購入することで、クリーンな電気を購入することができる。グリーン電力証書については、２０００年以降、企業のＣＳＲ（Corporate Social Responsibility）の一環として、企業法人、ＮＰＯ等を対象とした大口販売が行われている。
【０００４】
特許文献１においては、ＣＯ２の吸収力の大きな木や草からなる植物性燃料にＣＯ２の排出権を付与することにより、バイオマスエネルギーの利用を促進することができるＣＯ２排出権取引システムが開示されている。
しかしながら、特許文献１に開示されたシステムでは、購入者が、専用のバーナあるいはボイラ及び排出権付植物性燃料を取り扱う必要がある。
【０００５】
【非特許文献１】日本自然エネルギー株式会社、“グリーン電力証書システム”、［ｏｎｌｉｎｅ］、［平成１７年１１月２５日検索］、インターネット＜ＵＲＬ：http://www.natural-e.co.jp/green/index.html＞
【特許文献１】特開２００５−４９９３７
【発明の開示】
【発明が解決しようとする課題】
【０００６】
本発明は、上述した背景からなされたものであり、小口の電力利用者に対して、自然エネルギーを用いて発電された電力を販売することができる自然エネルギー販売システム及びその方法を提供することを目的とする。
【課題を解決するための手段】
【０００７】
上記目的を達成するために、本発明に係る自然エネルギー販売システムは、自然エネルギーを用いて発電される電力量を設定された証書を記憶する証書記憶手段と、商品を記憶する商品記憶手段と、前記商品記憶手段により記憶されている商品と、前記証書記憶手段により記憶されている証書との対応関係を記憶する関係記憶手段と、前記商品記憶手段により記憶されている商品の注文をユーザから受け付けた場合、当該商品に関係づけられている証書を当該ユーザに対して送信する証書管理手段とを有する。
【０００８】
好適には、前記関係記憶手段は、前記商品記憶手段により記憶されている商品に対して割り当てられた少なくとも１つの証書を記憶する。
好適には、ユーザを記憶するユーザ記憶手段と、前記ユーザ記憶手段により記憶されているユーザにより注文された少なくとも１つの商品を記憶する注文記憶手段とをさらに有する。
【０００９】
また、本発明に係る自然エネルギー販売方法は、自然エネルギーを用いて発電される電力量を設定された証書を記憶し、商品を記憶し、前記記憶されている商品と、前記記憶されている証書との対応関係を記憶し、前記記憶されている商品の注文をユーザから受け付けた場合、当該商品に関係づけられている証書を当該ユーザに対して送信する。
【００１０】
さらに、本発明に係るプログラムは、コンピュータを含む自然エネルギー販売システムにおいて、自然エネルギーを用いて発電される電力量を設定された証書を記憶する証書記憶ステップと、商品を記憶する商品記憶ステップと、前記記憶されている商品と、前記記憶されている証書との対応関係を記憶する関係記憶ステップと、前記記憶されている商品の注文をユーザから受け付けた場合、当該商品に関係づけられている証書を当該ユーザに対して送信する証書管理ステップとを前記自然エネルギー販売システムのコンピュータに実行させる。
【発明の効果】
【００１１】
本発明によれば、小口の電力利用者に対して、自然エネルギーを用いて発電された電力を販売することができる。
【発明を実施するための最良の形態】
【００１２】
まず、本発明に係る自然エネルギー販売システムの理解を容易にするために、本発明の概要を説明する。
図１は、グリーン電力証書（以下、証書とも記す）の仕組みを説明する図である。
図１（Ａ）に示すように、環境価値は、証書という形で具体化され、証書は、発電実績並びにその取引がグリーン電力認証機構により認証されて、各事業体により発行される。なお、グリーン電力認証機構は、官公庁研究所、企業法人等から構成される。
【００１３】
また、図１（Ｂ）に示すように、自然エネルギー購入価格には、環境価値と通常の電気代とが含まれる。この電気代は、石炭等を用いた発電のコストに基づくものである。消費者は、自然エネルギー購入価格を支払い、グリーン電力証書を購入することにより、クリーンな電気を購入する。
【００１４】
図２は、本発明に係る自然エネルギー販売システムによる再生可能エネルギーの小口販売を説明する図である。
図２（Ａ）に示すように、本発明に係る自然エネルギー販売システムは、証書と商品とをセットにして販売する。この商品には、証書がわかりやすい形で組み合わされている。ここで、商品は、例えばＴシャツであり、このＴシャツの袖には、発電請書が付されている。
【００１５】
図２（Ｂ）は、商品に付された発電請書を例示する図である。図２（Ｂ）に例示するように、商品それぞれには、発電請書が付されており、この発電請書には、識別子（ＩＤ）、商品パスワード、及び自然エネルギーにより発電される電力量が含まれる。このため、商品の購入者は、当該商品のＩＤにより一意に識別される。また、証書は、購入された商品に基づいて購入者に対して発行され、所定の契機にインターネット経由（例えばＷｅｂ経由）で送信される。本例では、証書は、Ｔシャツの購入者に対して１０月初旬に発行され、所定のＷｅｂページから入手される。
【００１６】
より具体的には、このＴシャツには、Ｔシャツ自体の代金に加え、夏（例えば７月１日〜９月３０日）の冷房の電力に対応する、石炭火力とバイオマスとの発電コストの差額が含まれている。この差額は、グリーン電力認証機構により発行されるグリーン電力証書として、Ｔシャツに付属する。
したがって、購入者がＴシャツを購入すると、２５０ｋＷｈのバイオマス発電によるグリーン電力証書も入手する。購入者は、このグリーン電力証書を介して、自然エネルギーによる電力２５０ｋＷｈを購入することができる。同時に、自然エネルギーの発電コストに対応する金額が、発電事業者に対して支払われる。
【００１７】
図３は、本発明に係る自然エネルギー販売システム１の構成を示す図である。
図３に示すように、自然エネルギー販売システム１は、サーバ２と端末装置３−１〜３−ｎとが、ＬＡＮ、ＷＡＮなどのネットワーク１００を介して接続されて構成される。証書及び商品の取引は、サーバ２と端末装置３−１〜３−ｎとの間で行われる。サーバ２は、外部の発電事業者との間で、商品、当該商品の購入者（ユーザ１〜ｎ）、当該商品に設定されている電力量等の情報を送受信する。自然エネルギーにより発電された電力は、当該商品に設定されている電力量だけ、発電事業者から商品の購入者に対して供給される。
【００１８】
なお、以下、これらのサーバ２及び端末装置３−１〜３−ｎを総称して、ノードとも記す。また、端末装置３−１〜３−ｎなど、複数ある構成部分のいずれかを特定せずに示すときには、単に端末装置３などと略記することがある。
【００１９】
図４は、図３に示した各ノードにおいて用いられるコンピュータのハードウェア構成を示す図である。
図４に示すように、各ノードのコンピュータは、ＣＰＵ１０４及びメモリ１０６などを含む装置本体１０８、キーボード及びディスプレイなどを含む表示・入力装置１１０、ネットワーク１００を介して他のノードと通信するための通信インターフェース（ＩＦ）１１２、及びデータを記録並びに再生する記憶装置１１４を含む。データは、記録媒体１１６を介して記憶装置１１４に保存されてもよいし、ネットワーク１００を介して外部のコンピュータから転送されてもよい。このように、各ノードのコンピュータは、プログラムの実行による情報処理、及びネットワークを介して他のノードとの間の通信が可能なコンピュータとしての構成部分を有する。
【００２０】
次に、図３に示したサーバ２において実行され、自然エネルギー販売システム１における商品及び証書の取引を実現する自然エネルギー販売プログラム２００（以下、販売プログラム２００という）について説明する。
図５は、自然エネルギー販売システム１のサーバ２により実行される販売プログラム２００の構成を示す図である。
図５に示すように、販売プログラム２００は、ユーザインターフェース（ＵＩ）部２０２、通信処理部２０４、ユーザ管理部２０６、注文管理部２０８、商品管理部２１０、電力管理部２１２、証書管理部２１４、ユーザデータベース（ＤＢ）２１６、購買ＤＢ２１８、商品ＤＢ２２０、電力ＤＢ２２２及び証書ＤＢ２２４を有する。
【００２１】
販売プログラム２００は、これらの構成部分により、自然エネルギーを用いて発電される電力量を設定された証書を記憶し、商品を記憶し、当該商品と証書との対応関係を記憶し、当該商品の注文をユーザから受け付けた場合、当該商品に関係づけられている証書を当該ユーザに対して送信して、図２を参照して説明した取引を実現する。
販売プログラム２００は、例えば、ネットワーク１００及び通信ＩＦ１１２又は記録媒体１１６を介してサーバ２に供給され、メモリ１０６にロードされて、さらにＣＰＵ１０４で動作するＯＳ上で、ハードウェアを具体的に利用して実行される。
【００２２】
販売プログラム２００において、ＵＩ部２０２は、表示・入力装置１１０に対するユーザの操作を受け入れ、後述する各構成部分に対して出力する。また、ＵＩ部２０２は、販売プログラム２００の各構成部分により作成された情報、データ及び各構成部分の処理内容などを、表示・入力装置１１０に表示する。
通信処理部２０４は、通信ＩＦ１１２を介してデータを入出力し、各ノードとの間の通信に必要とされる通信処理及びこれらとの間の認証処理を行う。通信処理部２０４は、入出力されるデータの改ざん防止等のために、データに対して暗号化処理を行ってもよい。
【００２３】
ユーザＤＢ２１６は、自然エネルギー販売システム１において商品を購入するユーザの情報を記憶する。
商品ＤＢ２２０は、販売される商品の情報を記憶する。
証書ＤＢ２２４は、自然エネルギーを用いて発電される電力量を設定された証書を記憶する。
【００２４】
電力ＤＢ２２２は、商品ＤＢ２２０に記憶されている商品と、証書ＤＢ２２４に記憶されている証書との対応関係を記憶する。好適には、電力ＤＢ２２２は、商品に対して割り当てられた少なくとも１つの証書を記憶し、より具体的には、商品それぞれについて当該商品にいずれの証書が割り当てられているかを記憶する。
【００２５】
購買ＤＢ２１８は、ユーザＤＢ２１６に記憶されているユーザからの注文を記憶する。より具体的には、購買ＤＢ２１８は、ユーザそれぞれにより注文された少なくとも１つの商品を記憶して、ユーザの購買履歴を保存する。
なお、これらのデータベースの属性、及び登録されるデータの例については、後で詳述する。
【００２６】
ユーザ管理部２０６は、ユーザＤＢ２１６に記憶されているユーザ情報を管理する。より具体的には、ユーザ管理部２０６は、ユーザが端末装置３を用いて送信したユーザに関する情報を受け付けて、ユーザＤＢ２１６に登録する。また、ユーザ管理部２０６は、ユーザにより同様にして送信されたユーザＤＢ２１６に記憶されているユーザ情報の変更及び削除の依頼を受け付けて、当該ユーザ情報の変更及び削除を行う。
【００２７】
商品管理部２１０は、商品ＤＢ２２０に記憶されている商品情報を管理する。より具体的には、商品管理部２１０は、サーバ２の表示・入力装置１１０を用いて入力され、又は他のノードから転送された商品に関する情報を、ＵＩ部２０２又は通信処理部２０４から受け付けて、商品ＤＢ２２０に登録する。また、商品管理部２１０は、ユーザにより注文された商品に関する情報を更新して、商品が既に購入されているか否かを管理する。
【００２８】
証書管理部２１４は、証書ＤＢ２２４に記憶されている証書を管理する。より具体的には、証書管理部２１４は、所定の電力量が割り当てられた証書を新規に登録し、発電実績の検証並びに認証結果を受け付けて、登録されている証書を更新する。さらに、証書管理部２１４は、ユーザにより商品が注文され証書が認証されると、当該証書をユーザ（端末装置３）に対して送信し、証書ＤＢ２２４に記憶されている当該証書を更新して発行済みの状態にする。
【００２９】
なお、証書管理部２１４は、外部の発電事業者から供与された証書に関する情報に基づいて、これらの登録及び更新処理を行ってもよい。また、この証書に関する情報の入力方法は特に限定されず、当該情報は、管理者により表示・入力装置１１０を用いて入力されてもよいし、ネットワーク１００を介して他のノードから送信されて入力されてもよい。
【００３０】
電力管理部２１２は、電力ＤＢ２２２に記憶されている商品と証書との対応関係を管理する。電力管理部２１２は、後述する商品種別を所定の契機で受け付け、当該商品種別の商品であって証書をまだ割り当てられていない商品を検索し、当該商品と証書との組み合わせを評価及び確定して、この対応関係を電力ＤＢ２２２に登録する。
注文管理部２０８は、ユーザが端末装置３を用いて送信した商品についての注文情報を受け付け、当該ユーザと商品との組み合わせを購買ＤＢ２１８に登録する。
【００３１】
次に、自然エネルギー販売システム１において用いられるデータベースについて詳述する。
図６は、ユーザＤＢ２１６、購買ＤＢ２１８、商品ＤＢ２２０、電力ＤＢ２２２並びに証書ＤＢ２２４の属性、及びこれらのデータベースの間の参照関係を示す図である。
図６に示すように、ユーザＤＢ２１６に記憶されるユーザ情報は、ユーザ識別子、メールアドレス、ユーザ指名、ユーザパスワード、ユーザ登録日時及び最終アクセス日時を含む。ユーザＤＢ２１６において、主キーはユーザ識別子であり、ユーザＤＢ２１６に記憶されるユーザ情報は、ユーザ識別子により一意に識別される。
【００３２】
商品ＤＢ２２０に記憶される商品情報は、商品識別子、商品種別、商品パスワード、商品発売日、商品登録日時、エネルギー種別、電力量、発電開始日及び発電完了日を含む。商品ＤＢ２２０において、主キーは商品識別子であり、商品ＤＢ２２０に記憶される商品情報は、商品識別子により一意に識別される。
【００３３】
証書ＤＢ２２４に記憶される証書は、証書識別子、エネルギー種別、電力量、発電開始日、発電完了日、証書発行日、証書認証日及び認証の是非を含む。証書ＤＢ２２４において、主キーは証書識別子であり、証書ＤＢ２２４に記憶される証書は、証書識別子により一意に識別される。
【００３４】
購買ＤＢ２１８に記憶されるユーザによる注文情報は、商品識別子、ユーザ識別子及びユーザの商品登録日時を含む。購買ＤＢ２１８において、主キーは商品識別子であり、購買ＤＢ２１８に記憶される注文情報は、商品識別子により一意に識別される。また、購買ＤＢ２１８に記憶されている注文情報において、商品識別子は、商品ＤＢ２２０に記憶されている商品情報における商品識別子を参照し、ユーザ識別子は、ユーザＤＢ２１６に記憶されているユーザ情報におけるユーザ識別子を参照する。
【００３５】
ここで、注文情報はユーザと商品との対応関係を示し、この対応関係は１対多である。即ち、１人のユーザは複数の商品を注文する場合がある。購買ＤＢ２１８においては、１つの商品識別子が選択されると１つのユーザ識別子が決定される一方、１つのユーザ識別子が選択されると複数の商品識別子が決定されうる。
【００３６】
電力ＤＢ２２２に記憶される商品と証書との対応関係は、証書識別子及び商品識別子を含む。電力ＤＢ２２２において、主キーは証書識別子であり、電力ＤＢ２２２に記憶される対応関係は、証書識別子により一意に識別される。また、電力ＤＢ２２２に記憶されている対応関係において、証書識別子は、証書ＤＢ２２４に記憶されている証書における証書識別子を参照し、商品識別子は、商品ＤＢ２２０に記憶されている商品情報における商品識別子を参照する。
【００３７】
ここで、商品と証書との対応関係は１対多である。即ち、１つの商品には複数の証書が割り当てられる場合がある。電力ＤＢ２２２においては、１つの証書識別子が選択されると１つの商品識別子が決定される一方、１つの商品識別子が選択されると複数の証書識別子が決定されうる。
【００３８】
図７は、ユーザＤＢ２１６に記憶されるユーザ情報を例示する図である。
図７に例示するように、ユーザＤＢ２１６に記憶されるユーザ情報において、ユーザ識別子は、例えば１，２，３のようなユニークな数字あるいは文字列等である。メールアドレスは、所定の文字列とドメイン名とからなるアドレスであり、例えばインターネットメールの送信先として用いられる。ユーザ氏名は、ユーザにより登録されたユーザの氏名である。ユーザパスワードは所定の文字列であり、販売プログラム２００（図５）により決定されてもよいし、ユーザにより登録されてもよい。ユーザ登録日時は、ユーザ情報がユーザＤＢ２１６に登録された日時であり、最終アクセス日時は、ユーザが端末装置３を用いてサーバ２にアクセスした最新の日時である。
【００３９】
図８は、証書ＤＢ２２４に記憶される証書を例示する図である。
図８に例示するように、証書識別子は、英数字からなるユニークな文字列である。エネルギー種別は、当該証書に割り当てられた電力量につき発電のために用いられる自然エネルギーの種類であって、例えばバイオマスや風力である。電力量は、当該証書につき自然エネルギーにより発電される電力量である。発電開始日及び発電完了日は、当該証書につき行われる発電の開始日と完了日である。証書発行日は、証書が発行された日である。証書認証日は、自然エネルギーによる発電実績が検証されて証書が管理者により認証される日である。認証の是非は、証書が認証されているか否かを示すフラグであって、証書が認証されている場合には１であり、認証されていない場合には０である。証書が認証されて認証の是非が１になると、証書は、販売プログラム２００の証書管理部２１４によりユーザに対して送信される。
【００４０】
図９は、商品ＤＢ２２０に記憶される商品情報を例示する図である。
図９に例示するように、商品識別子は、例えば０５Ｔ００００１のようなユニークな文字列である。商品種別は、商品の種類によって定められた文字列であり、例えば商品がＴシャツである場合には０５Ｔである。商品パスワードは、販売プログラム２００の商品管理部２１０により乱数に基づいて決定される文字列である。商品発売日は、商品が発売された日である。商品登録日時は、商品が商品ＤＢ２２０に登録された日時である。
【００４１】
エネルギー種別は、当該商品に割り当てられた電力量につき発電のために用いられる自然エネルギーの種類である。電力量は、当該商品を購入すると自然エネルギーにより発電される電力量である。発電開始日及び発電完了日は、当該商品を購入すると行われる発電の開始日と完了日である。例えば、商品識別子が０５Ｔ０００００である商品は、バイオマス発電による電力（２５０ｋＷｈ）が発電事業者から購入者に対して２００５年７月１日から２００５年９月３０日まで供給されるものである。
また、１つの商品には複数の証書が割り当てられうる。この場合、商品情報におけるエネルギー種別、電力量、発電開始日及び発電完了日は、複数の証書におけるエネルギー種別、電力量、発電開始日及び発電完了日に基づいて決定される値である。
【００４２】
図１０は、電力ＤＢ２２２に記憶される商品と証書との対応関係を例示する図である。
図１０に例示するように、証書識別子は、証書ＤＢ２２４に記憶されている証書の証書識別子であり、商品識別子は、商品ＤＢ２２０に記憶されている商品の商品識別子である。例えば、商品０５Ｃ０００００には、複数の証書（２００４Ｑ４Ｂ−ＰＰ０１−１〜２００４Ｑ４Ｂ−ＰＰ０１−３）が割り当てられている。
【００４３】
図１１は、購買ＤＢ２１８に記憶される注文情報を例示する図である。
図１１に例示するように、商品識別子は、商品ＤＢ２２０に記憶されている商品の商品識別子であり、ユーザ識別子は、ユーザＤＢ２１６に記憶されているユーザのユーザ識別子である。ユーザの商品登録日時は、ユーザにより商品が注文されて、この注文情報が登録された日時である。例えば、購買ＤＢ２１８には、ユーザ識別子が１であるユーザの購買履歴として、当該ユーザが２００５年８月１２日の１時に商品０５Ｔ０００００を購入し、２００５年１月１５日の１２時に商品０５Ｃ０００００を購入したことが保存されている。
【００４４】
自然エネルギー販売システム１の端末装置３においては、所定のプログラムが動作している。このプログラムは、例えばブラウザ等の任意のソフトウェアであり、ユーザが表示・入力装置１１０を用いて入力するユーザ情報及び商品の注文情報を受け付け、これらのデータをサーバ２に対して送信する。また、このプログラムは、サーバ２から送信されるデータを受け付けて、端末装置３の表示・入力装置１１０に表示する。なお、端末装置３において動作するプログラム、及び端末装置３とサーバ２との間におけるデータ通信方式は特に限定されない。
【００４５】
次に、自然エネルギー販売システム１において、サーバ２上で実行される処理、及びサーバ２と端末装置３との間で行われる動作について説明する。
図１２は、サーバ２上で動作する販売プログラム２００により実行される商品登録処理（Ｓ１０）を示すフローチャートである。
図１２に示すように、ステップ１００（Ｓ１００）において、商品の販売者は、サーバ２の表示・入力装置１１０を用いて商品情報を入力し、又は他のノードからサーバ２に対して商品情報を送信すると、サーバ２おいて、販売プログラム２００の商品管理部２１０は、入力された商品情報を受け付ける。ここで、入力される商品情報は、商品識別子、商品種別、商品発売日、エネルギー種別、電力量、発電開始日及び発電完了日である。なお、商品識別子として、例えば最初の識別子と最後の識別子とが与えられた場合、商品管理部２１０は、これらの間の複数の識別子を生成して商品識別子としてもよい。
【００４６】
ステップ１０２（Ｓ１０２）において、商品管理部２１０は、商品パスワードを乱数により発行する。
ステップ１０４（Ｓ１０４）において、商品管理部２１０は、発行された商品パスワードと、商品登録日時（現在の日時）とを加えられた商品情報を商品ＤＢ２２０に登録する。
このようにして、商品は、販売プログラム２００により商品ＤＢ２２０に登録される。
【００４７】
図１３は、販売プログラム２００により実行される証書登録処理（Ｓ２０）を示すフローチャートである。
図１３に示すように、ステップ２００（Ｓ２００）において、販売プログラム２００の証書管理部２１４は、発電事業者から供与された証書に関する情報を受け付ける。ここで、証書に関する情報は、証書識別子、エネルギー種別、電力量、発電開始日、発電完了日、証書発行日、証書認証日である。
【００４８】
ステップ２０２（Ｓ２０２）において、証書管理部２１４は、受け付けた証書の認証の是非を０として、当該証書を証書ＤＢ２２４に登録する。なお、証書識別子として、例えば、最初の識別子と最後の識別子とが与えられた場合、証書管理部２１４は、これらの間に含まれる識別子を有する複数の証書を一時に登録してもよい。
このようにして、証書は、販売プログラム２００により証書ＤＢ２２４に登録される。
【００４９】
図１４は、販売プログラム２００により実行される電力登録処理（Ｓ３０）を示すフローチャートである。
図１４に示すように、ステップ３００（Ｓ３００）において、販売プログラム２００の電力管理部２１２は、商品の販売者によりサーバ２の表示・入力装置１１０等を介して入力された商品種別を受け付ける。
ステップ３０２（Ｓ３０２）において、電力管理部２１２は、入力された商品種別に基づいて商品ＤＢ２２０から当該商品種別の商品を検索する。また、電力管理部２１２は、検索された商品の商品識別子に基づいて電力ＤＢ２２２を参照し、当該商品種別の商品であってまだ証書が割り当てられていない商品（電力が未登録である商品）を抽出する。
【００５０】
ステップ３０４（Ｓ３０４）において、電力管理部２１２は、抽出された商品並びに証書ＤＢ２２４に記憶されている証書のエネルギー種別、電力量、発電開始日及び発電完了日を所定の方法で評価する。
ステップ３０６（Ｓ３０６）において、電力管理部２１２は、当該商品と証書との組み合わせを確定する。ここで、商品と証書との関係は、１対多であり、１つの商品には、１以上の証書が組み合わされる。
【００５１】
ステップ３０８（Ｓ３０８）において、電力管理部２１２は、商品と証書との確定された対応関係を電力ＤＢ２２２に登録する。
このようにして、商品と証書との対応関係は、販売プログラム２００により電力ＤＢ２２２に登録される。
【００５２】
図１５は、サーバ２と端末装置３との間で行われるユーザ登録処理（Ｓ４０）を示すシーケンス図である。
図１５に示すように、ステップ４００（Ｓ４００）において、ユーザは、端末装置３上で動作する例えばブラウザを用いてサーバ２に対してアクセスし、サーバ２に対してユーザの登録処理を要求する。
ステップ４０２（Ｓ４０２）において、サーバ２上で動作する販売プログラム２００のユーザ管理部２０６は、端末装置３から要求を受け付けると、ユーザを登録するための登録フォームを端末装置３に対して送信する。
【００５３】
ステップ４０４（Ｓ４０４）において、端末装置３は、サーバ２から送信された登録フォームを表示・入力装置１１０に表示する。ユーザは、ブラウザ上に表示された登録フォームに対して、ユーザ氏名及びメールアドレスを入力する。なお、このとき、ユーザはユーザパスワードを入力してもよい。
ステップ４０６（Ｓ４０６）において、端末装置３は、入力されたユーザ氏名等のユーザ情報をサーバ２に対して送信する。
【００５４】
ステップ４０８（Ｓ４０８）において、販売プログラム２００のユーザ管理部２０６は、送信されたユーザ情報に対してユーザ識別子を発行する。
ステップ４１０（Ｓ４１０）において、ユーザ管理部２０６は、発行されたユーザ識別子と、ユーザ登録日時（現在の日時）とを加えられたユーザ情報をユーザＤＢ２１６に登録する。
【００５５】
ステップ４１２（Ｓ４１２）において、ユーザ管理部２０６は、ユーザ登録の手続が完了した旨の通知を端末装置３に対して送信する。端末装置３は、送信された手続完了通知を受け付けると、ユーザ登録が完了された旨を表示・入力装置１１０に表示する。
このようにして、ユーザ情報は、ユーザにより端末装置３を用いて入力され、サーバ２上で動作する販売プログラム２００によりユーザＤＢ２１６に登録される。
【００５６】
図１６は、サーバ２と端末装置３との間で行われる注文受付処理（Ｓ５０）を示すシーケンス図である。
図１６に示すように、ステップ５００（Ｓ５００）において、ユーザは、端末装置３上で動作する例えばブラウザを用いてサーバ２に対してアクセスし、サーバ２に対して商品の注文処理を要求する。
ステップ５０２（Ｓ５０２）において、サーバ２上で動作する販売プログラム２００の注文管理部２０８は、端末装置３から要求を受け付けると、商品を注文するための注文フォーム、商品情報などを端末装置３に対して送信する。ここで、商品情報には、商品識別子、商品種別（Ｔシャツなど）、エネルギー種別、電力量等が含まれる。また、商品情報には、商品の画像データが含まれてもよい。
【００５７】
ステップ５０４（Ｓ５０４）において、端末装置３は、サーバ２から送信された注文フォーム及び商品一覧を表示・入力装置１１０に表示する。ユーザは、ブラウザ上に表示された商品情報を参照し、注文フォームに対して購入する商品の情報を入力する。なお、ユーザはマウス等のポインティングデバイスにより商品をクリックして、購入する商品を指定してもよい。
ステップ５０６（Ｓ５０６）において、端末装置３は、指定された商品の注文情報（例えばユーザ識別子及び商品識別子）をサーバ２に対して送信する。
【００５８】
ステップ５０８（Ｓ５０８）において、販売プログラム２００の注文管理部２０８は、商品登録日時（現在の日時）を加えられた注文情報を購買ＤＢ２１８に登録する。
ステップ５１０（Ｓ５１０）において、注文管理部２０８は、商品の注文を受け付けた旨の通知を端末装置３に対して送信する。端末装置３は、送信された手続完了通知を受け付けると、商品の注文が完了された旨を表示・入力装置１１０に表示する。
このようにして、注文情報は、ユーザにより端末装置３を用いて入力され、サーバ２上で動作する販売プログラム２００により購買ＤＢ２１８に登録される。
【００５９】
なお、Ｓ５１０の処理において、販売プログラム２００の注文管理部２０８は、商品ＤＢ２２０を参照して当該注文された商品に割り当てられた電力量を確認し、発電請書（図２）を生成して端末装置３に対して送信してもよい。端末装置３は、送信された発電請書を表示・入力装置１１０に表示する。これにより、ユーザは、例えばＷｅｂ経由で発電請書を確認することができる。
【００６０】
図１７は、自然エネルギー販売システム１における全体動作（Ｓ６０）を示すシーケンス図である。
図１７に示すように、まず、商品登録処理（図１２；Ｓ１０）、証書登録処理（図１３；Ｓ２０）及び電力登録処理（図１４；Ｓ３０）が、サーバ２において行われる。また、ユーザ登録処理（図１５；Ｓ４０）が、サーバ２と端末装置３との間で行われる。なお、ユーザ登録処理は、商品登録処理等より先に行われてもよい。これらの登録が行われると、注文受付処理（図１６；Ｓ５０）が、サーバ２と端末装置３との間で行われる。
【００６１】
商品が注文されると、ステップ６００（Ｓ６００）において、サーバ２上で動作する販売プログラム２００の商品管理部２１０は、商品ＤＢ２２０を参照して商品発売日が更新された商品（即ち、ユーザにより購入された商品）を抽出し、当該商品の発送依頼を商品発送機関（不図示）に対して送信する。なお、商品管理部２１０は、商品が購入された際に注文管理部２０８から当該商品に関する情報を受け付け、この契機で商品の発送依頼を行ってもよい。
ステップ６０２（Ｓ６０２）において、商品発送機関は、ユーザにより購入された商品を当該ユーザに対して発送する。この商品には、発電請書（図２）が付せられている。
【００６２】
ステップ６０４（Ｓ６０４）において、販売プログラム２００の証書管理部２１４は、ユーザＤＢ２１６、購買ＤＢ２１８、商品ＤＢ２２０、電力ＤＢ２２２及び証書ＤＢ２２４を参照して、商品を購入したユーザ及び当該商品に割り当てられている電力量を確認し、これらの情報を発電事業者に対して送信する。なお、これらの情報は、発電事業者の担当者がサーバ２の表示・入力装置１１０を用いることにより確認されてもよいし、発電事業者側のコンピュータによる問い合わせに応答して発電事業者に対して送信されてもよい。
【００６３】
ステップ６０６（Ｓ６０６）において、発電事業者は、ユーザにより購入された商品に設定された発電開始日に自然エネルギーを用いた発電を開始してユーザに対して電力を供給する。
ステップ６０８（Ｓ６０８）において、発電事業者は、自然エネルギーを用いて発電された電力の供給を、当該商品に設定された発電完了日に終了する。ユーザは、Ｓ６０６の処理とＳ６０８の処理の間に自然エネルギーにより発電された電力を利用する。
【００６４】
ステップ６１０（Ｓ６１０）において、サーバ２の管理者は、自然エネルギーを用いた発電事業者による発電実績を検証し、適切に発電された場合には、当該発電に関する証書を認証する。このとき、販売プログラム２００の証書管理部２１４は、管理者からの認証を受け付けて、証書ＤＢ２２４に記憶されている当該証書の認証の是非を１に更新する。
【００６５】
ステップ６１２（Ｓ６１２）において、証書管理部２１４は、認証された証書を、当該証書が割り当てられている商品を購入したユーザ（端末装置３）に対して送信する。ユーザは、端末装置３を用いて例えばＷｅｂ経由で、送信された証書を確認する。
このようにして、ユーザが商品を購入すると、自然エネルギーにより発電された電力が当該ユーザに対して供給され、クリーン電力証書（証書）が当該ユーザに対して送信される。
【００６６】
以上説明したように、本発明に係る自然エネルギー販売システム１は、自然エネルギーを用いて発電される電力量を設定された証書を記憶する証書記憶手段と、商品を記憶する商品記憶手段と、記憶されている商品と記憶されている証書との対応関係を記憶する関係記憶手段と、商品の注文をユーザから受け付けた場合、当該商品に関係づけられている証書を当該ユーザに対して送信する証書管理手段とを有する。これにより、自然エネルギー販売システム１は、小口の電力利用者に対して、自然エネルギーを用いて発電された電力を販売することができ、自然エネルギーを用いた発電を促進することができる。
【００６７】
特に、本発明に係る自然エネルギー販売システム１は、商品に対して割り当てられた少なくとも１つの証書を記憶する。これにより、自然エネルギー販売システム１は、商品の付加価値として環境価値を盛り込むことができる。また、ユーザは、商品を購入することにより、簡易な操作で自然エネルギーを購入することができる。
【図面の簡単な説明】
【００６８】
【図１】グリーン電力証書の仕組みを説明する図である。
【図２】本発明に係る自然エネルギー販売システムによる再生可能エネルギーの小口販売を説明する図である。
【図３】本発明に係る自然エネルギー販売システム１の構成を示す図である。
【図４】図３に示した各ノードにおいて用いられるコンピュータのハードウェア構成を示す図である。
【図５】自然エネルギー販売システム１のサーバ２により実行される販売プログラム２００の構成を示す図である。
【図６】ユーザＤＢ２１６、購買ＤＢ２１８、商品ＤＢ２２０、電力ＤＢ２２２並びに証書ＤＢ２２４の属性、及びこれらのデータベースの間の参照関係を示す図である。
【図７】ユーザＤＢ２１６に記憶されるユーザ情報を例示する図である。
【図８】証書ＤＢ２２４に記憶される証書を例示する図である。
【図９】商品ＤＢ２２０に記憶される商品情報を例示する図である。
【図１０】電力ＤＢ２２２に記憶される商品と証書との対応関係を例示する図である。
【図１１】購買ＤＢ２１８に記憶される注文情報を例示する図である。
【図１２】サーバ２上で動作する販売プログラム２００により実行される商品登録処理（Ｓ１０）を示すフローチャートである。
【図１３】販売プログラム２００により実行される証書登録処理（Ｓ２０）を示すフローチャートである。
【図１４】販売プログラム２００により実行される電力登録処理（Ｓ３０）を示すフローチャートである。
【図１５】サーバ２と端末装置３との間で行われるユーザ登録処理（Ｓ４０）を示すシーケンス図である。
【図１６】サーバ２と端末装置３との間で行われる注文受付処理（Ｓ５０）を示すシーケンス図である。
【図１７】自然エネルギー販売システム１における全体動作（Ｓ６０）を示すシーケンス図である。
【符号の説明】
【００６９】
１ 自然エネルギー販売システム
２ サーバ
３ 端末装置
１００ ネットワーク
１０４ ＣＰＵ
１０６ メモリ
１０８ 装置本体
１１０ 表示・入力装置
１１２ 通信ＩＦ
１１４ 記憶装置
１１６ 記録媒体
２００ 自然エネルギー販売プログラム
２０２ ＵＩ部
２０４ 通信処理部
２０６ ユーザ管理部
２０８ 注文管理部
２１０ 商品管理部
２１２ 電力管理部
２１４ 証書管理部
２１６ ユーザＤＢ
２１８ 購買ＤＢ
２２０ 商品ＤＢ
２２２ 電力ＤＢ
２２４ 証書ＤＢ
【図１】
2007164397.tif 000003
【図２】
2007164397.tif 000004
【図３】
2007164397.tif 000005
【図４】
2007164397.tif 000006
【図５】
2007164397.tif 000007
【図６】
2007164397.tif 000008
【図７】
2007164397.tif 000009
【図８】
2007164397.tif 000010
【図９】
2007164397.tif 000011
【図１０】
2007164397.tif 000012
【図１１】
2007164397.tif 000013
【図１２】
2007164397.tif 000014
【図１３】
2007164397.tif 000015
【図１４】
2007164397.tif 000016
【図１５】
2007164397.tif 000017
【図１６】
2007164397.tif 000018
【図１７】
2007164397.tif 000019